(57)【要約】【課題】芽物野菜を包装した包装容器に外側から紫外線を照射した場合、容器本体内の芽物野菜に対して紫外線を全体に渡って十分に照射することが可能な包装容器の提供を課題とするものである。【解決手段】紫外線を透過可能な樹脂からなり、かいわれ大根等の芽物野菜が植設された培地が上面に載置される底部１０、及び底部１０との協働により内部に芽物野菜を収容する空間を形成する側壁４を有して上面が開口された容器本体２と、底部１０の中央近傍を隆起させ、容器本体２の内側に向かって湾曲した略円弧形状を呈する湾曲部３と、容器本体２の開口を閉鎖した蓋部９とを備える。【選択図】図１
0003120185.tif 000002
【実用新案登録請求の範囲】
【請求項１】
紫外線を透過可能な樹脂からなり、かいわれ大根等の芽物野菜が育成された培地が載置される底部、及び前記底部との協働により内部に芽物野菜を収容する空間を形成する側壁を有し、上面が開口された容器本体と、
前記底部の中央近傍を隆起させ、前記容器本体の内側に向かって湾曲した略円弧形状を呈する湾曲部と、
前記開口を閉鎖する蓋部と
を具備することを特徴とする芽物野菜用の包装容器。
【請求項２】
紫外線を透過可能な樹脂からなり、かいわれ大根等の芽物野菜が育成された培地が載置される底部、及び前記底部との協働により内部に芽物野菜を収容する空間を形成する側壁を有し、上面が開口された容器本体と、
前記底部又は前記側壁に少なくとも一つ形成され、前記容器本体の内側に向かって凹状の形状を呈し、前記容器本体に対して紫外線が照射された際に、該紫外線の受ける面積を拡張した紫外線照射拡張部と、
前記開口を閉鎖する蓋部と
を具備することを特徴とする芽物野菜用の包装容器。
【考案の詳細な説明】
【技術分野】
【０００１】
本考案は芽物野菜用に包装容器に関するものであり、特に、かいわれ大根等の芽物野菜を包装する包装容器に関するものである。
【背景技術】
【０００２】
従来、かいわれ大根等の芽物野菜を包装する包装容器は、上面が開口された有底の容器と、この容器本体の開口を閉鎖する蓋部とを有して構成されるものがある。ここで、芽物野菜は、栽培場で水耕栽培される際、始めに、種子に水分を与えて膨潤させた後、略長方形状を呈するウレタンシート等の培地に播種される。そして、栽培後、芽物野菜は、培地とともに包装容器に移され、出荷されていた。
ところで、栽培場では、作業者の手洗いの推進や作業用衣服の消毒、及び栽培に利用される水や栽培液に対して殺菌処理が行われることがあった。
【０００３】
上記の技術は、当業者において当然実施されているものであり、出願人は本願の出願当時において、上記技術が記載されている文献を特に知見していない。
【考案の開示】
【考案が解決しようとする課題】
【０００４】
しかし、上記のような殺菌処理を行ったとしても、栽培用容器から包装容器に芽物野菜を移し替える際、包装容器内に細菌が入る可能性があった。このため、出荷された芽物野菜の日持ちが悪くなる場合があった。そこで、包装容器及び芽物野菜に向かって紫外線を照射し、出荷される芽物野菜の葉や根、或いは包装容器の内側や封着される蓋部の表面に対して殺菌処理を行うことが提案されている。
【０００５】
しかしながら、包装容器に向かって外側から紫外線を照射した場合、包装容器内の外周側の芽物野菜に対しては紫外線を到達させることができるが、内部側の芽物野菜に対しては、紫外線が外周側の芽物野菜によって遮蔽されるため、紫外線を十分に到達させることが困難であった。そのため、内部側の芽物野菜に対する殺菌効率が低下する虞があった。特に、包装容器内には培地から伸びた複数の芽物野菜が密に包装されているため、芽物野菜同士の間隙が狭く、紫外線の到達のしづらさを助長していた。
【０００６】
そこで、本考案は、上記の実情に鑑み、芽物野菜用の包装容器に外側から紫外線を照射した際、包装容器内の芽物野菜に対して紫外線を全体に渡って十分に照射することが可能な芽物野菜用の包装容器の提供を課題とするものである。
【課題を解決するための手段】
【０００７】
本考案にかかる芽物野菜用の包装容器は、「紫外線を透過可能な樹脂からなり、かいわれ大根等の芽物野菜が育成された培地が載置される底部、及び前記底部との協働により内部に芽物野菜を収容する空間を形成する側壁を有し、上面が開口された容器本体と、前記底部の中央近傍を隆起させ、前記容器本体の内側に向かって湾曲した略円弧形状を呈する湾曲部と、前記開口を閉鎖する蓋部とを具備する」ものである。
【０００８】
したがって、本考案の芽物野菜用の包装容器によれば、芽物野菜が植えられた培地が湾曲部の上面に載置されると、培地が湾曲部に沿って円弧状に変形する。すると、この変形に伴い容器本体内の芽物野菜が放射状に拡がるため、芽物野菜同士の間隙が大きくなる。このため、外側から紫外線が照射されると、容器本体内の外周側の芽物野菜に紫外線が十分に照射されると共に、外周側の芽物野菜同士の間隙を紫外線が通過して内部側の芽物野菜に照射されるため、容器本体内の芽物野菜の全体に渡って十分な殺菌を行うことが可能である。
【０００９】
本考案にかかる芽物野菜用の包装容器は、「紫外線を透過可能な樹脂からなり、かいわれ大根等の芽物野菜が育成された培地が載置される底部、及び前記底部との協働により内部に芽物野菜を収容する空間を形成する側壁を有し、上面が開口された容器本体と、前記底部又は前記側壁に少なくとも一つ形成され、前記容器本体の内側に向かって凹状の形状を呈し、前記容器本体に対して紫外線が照射された際に、該紫外線の受ける面積を拡張した紫外線照射拡張部と、前記開口を閉鎖する蓋部とを具備する」ものである。
【００１０】
したがって、本考案の包装容器によれば、芽物野菜を収容した際、容器本体の内部側の芽物野菜、及び紫外線照射拡張部が形成された容器本体の内表面が近接する。したがって、側壁及び底部に近接された容器本体の外周側の芽物野菜に加え、紫外線照射拡張部に近接された容器本体の内部側の芽物野菜に対しても紫外線が十分に照射される。
【考案の効果】
【００１１】
本考案の芽物野菜用の包装容器によれば、紫外線を照射した際、容器本体内の芽物野菜に対して紫外線を全体に渡って十分に照射することが可能である。これにより、芽物野菜に対する紫外線の殺菌効率を向上させ、出荷される芽物野菜の日持ちを良くすることが可能である。
【考案を実施するための最良の形態】
【００１２】
以下、本考案の第一実施形態である芽物野菜Ｍ用の包装容器１について、図１及び図２に基づいて説明する。図１は本考案の包装容器１の構成を示す斜視図であり、図２は本考案の包装容器１の使用状態を示す説明図である。
【００１３】
本考案の第一実施形態である包装容器１は、図１に示すように、アクリル樹脂又はポリカーボネート樹脂等から形成され、上面が開口された容器本体２と、容器本体２の開口を閉鎖する蓋部９とから構成されている。また、容器本体２は長方形状を呈する底部１０と、底部１０の周縁から立設され、底部１０との協働によって内部に芽物野菜Ｍを収容する空間を形成する側壁４と、互いに対向する一対の側面の間に形成され、底部１０の中央近傍が隆起され、中央近傍を中心として左右対称になるように湾曲された断面円弧状を呈する湾曲部３と、上面に形成された開口部５及び開口部５の周縁から外方に向かって突出されたフランジ部６とを有する。そして、蓋部９は、フランジ部６に接着剤によって封着される。
【００１４】
次に、本考案の第一実施形態である包装容器１の使用状態を説明する。図２に示すように、芽物野菜Ｍは、かいわれ大根等の植物であり、ウレタンシートから形成された直方体形状を呈する培地８に植設され、培地８が湾曲部３の上面に載置される。これにより、培地８が湾曲部３の上面に沿って円弧状に撓むため、培地８に植えられた芽物野菜Ｍが容器本体２内で放射状に拡がる。
【００１５】
したがって、本考案の第一実施形態の包装容器１によれば、紫外線を照射して殺菌処理を行う場合、容器本体２内の外周側の芽物野菜Ｍに対して紫外線が照射されるのに加えて、容器本体２内の内部側の芽物野菜Ｍに対しても、紫外線が芽物野菜Ｍ同士の間隙を通過して照射されるため、容器本体２内の芽物野菜Ｍ全体に渡って効率的に殺菌を行い、包装された芽物野菜Ｍの日持ちを良くすることが可能である。
【００１６】
次に、本考案の第二実施形態である包装容器２０について、図３及び図４に基づいて説明する。図３は本考案の第二施形態における包装容器２０の構成を示す斜視図であり、図４は本考案の第二実施形態における芽物野菜Ｍ用の包装容器２０の使用状態を示す説明図である。
【００１７】
包装容器２０は、図３に示すように、アクリル樹脂又はポリカーボネート樹脂等から形成され、上面が開口された有底の容器本体２１と、容器本体２１の開口を閉鎖する蓋部２２とから構成される。さらに、容器本体２１は、長方形状を呈する底部２３と、底部２３の周縁から立設され、底部２３との協働により内部に芽物野菜Ｍを収容する空間を形成した側壁２５と、互いに対向する一対の側面の間に形成され、断面半円状を呈する凹状溝部２４と、容器本体２１の上面に形成された開口部２６と、開口部２６の周縁から外方に向かって突出されたフランジ部２７とを有する。また、蓋部２２は、フランジ部２７に接着剤などで封着される。なお、特に限定されるものではないが、凹状溝部２４は、容器本体２１の幅に対して約三分の一の幅であり、容器本体２１の深さに対して約半分の深さのものである。ここで、凹状溝部２４は本考案の紫外線照射拡張部に相当する。
【００１８】
続いて、本考案の第二実施形態である包装容器２０の使用状態を説明する。図４を示すように、芽物野菜Ｍを植設した一対の培地２８が凹状溝部２４を挟んで底部２３の上面に夫々載置される。このとき、凹状溝部２４が形成された容器本体２１の内表面に対して内部側の芽物野菜Ｍが近接される。
【００１９】
これにより、紫外線が包装容器２０に照射されると、底部２３及び側壁２５の内表面に近接された芽物野菜Ｍに加え、凹状溝部２４を通して内部側の芽物野菜Ｍに対しても照射される。したがって、芽物野菜Ｍ全体に渡って紫外線が照射されるため、殺菌効率を向上させ、出荷される芽物野菜Ｍの日持ちを良くすることが可能である。
【００２０】
以上、本考案について好適な実施形態を挙げて説明したが、本考案はこれらの実施形態に限定されるものではなく、以下に示すように、本考案の要旨を逸脱しない範囲において、種々の改良及び設計の変更が可能である。
【００２１】
本考案の第一実施形態では、蓋部９はフランジ部６に封着され、容器本体２の開口を閉鎖するものを示したが、蓋部９はフランジ部６に嵌合されるものであってもよい。ただし、蓋部９をフランジ部６に封着するものであれば、容器本体２の内部に細菌が侵入することを防ぐことが可能である。なお、蓋部２２とフランジ部２７とにおいても同様である。
【００２２】
さらに、本考案の第一実施形態では、湾曲部３は円弧状を呈するものを示したが、底部１０の中心に向かって均等な割合で高くなるような球面状に形成されたものであってもよい。
【００２３】
また、本考案の第二実施形態では、凹状溝部２４は底部２３に形成されたものを示したが、側壁２５に形成されたものであっても構わない。
【００２４】
さらに、本考案の第二実施形態では、凹状溝部２４は底部２３に一つ形成されたものを示したが、複数の凹状溝部２４が底部２３又は側壁２５に形成されたものであってもよい。
【００２５】
また、本考案の第一実施形態では、容器本体２は横断面が四角形のものを示したが、横断面が円形のものであってもよい。なお、本考案の第二実施形態における容器本体２１においても同様である。
【図面の簡単な説明】
【００２６】
【図１】本考案の第一実施形態における芽物野菜用の包装容器の構成を示す斜視図である。
【図２】本考案の第一実施形態における芽物野菜用の包装容器の使用状態を示す説明図である。
【図３】本考案の第二実施形態における芽物野菜用の包装容器の構成を示す斜視図である。
【図４】本考案の第二実施形態における芽物野菜用の包装容器の使用状態を示す説明図である。
【符号の説明】
【００２７】
１，２０  芽物野菜用の包装容器
２，２１  容器本体
３  湾曲部
４，２５  側壁
５，２６  開口部
８，２８  培地
９，２２  蓋部
１０，２３  底部
２４  凹状溝部（紫外線照射拡張部）
【図１】
0003120185.tif 000003
【図２】
0003120185.tif 000004
【図３】
0003120185.tif 000005
【図４】
0003120185.tif 000006